(57)【要約】【課題】ユーザ登録と印刷ドライバのインストールを一元化して管理し、印刷可能なユーザを制限可能な情報処理システムの提供を図る。【解決手段】情報処理システム１００は、画像形成装置１と情報処理サーバ２とユーザ端末３とを接続して構成される。情報処理サーバ２は、ユーザ登録テーブル２３１とインストールセット２３２とを備える。ユーザ登録テーブル２３１には、画像形成装置に対応付けられて登録ユーザが記憶される。ユーザは、ユーザ端末３により情報処理サーバ２にインストールセットのインストールを要求し、情報処理サーバ２は、そのユーザがユーザ登録テーブル２３１に登録されているか認証する。認証されていれば、情報処理サーバ２は、ユーザ端末３に画像形成装置１の印刷ドライバのインストールセットをダウンリンクする。【選択図】図４
2008257406.tif 000002
【特許請求の範囲】
【請求項１】
画像データに基づいて画像形成を行う少なくとも１つの画像形成装置と、各画像形成装置専用の印刷ドライバを介して前記画像形成装置に画像データを出力するユーザ端末と、をネットワークを介して接続した情報処理システムであって、
前記画像形成装置それぞれと各画像形成装置について使用を許可されたユーザ端末との関係を記憶するユーザ登録テーブルと、
前記印刷ドライバのインストール前に、前記ユーザ登録テーブルに記憶された関係を参照して、使用を許可されたユーザ端末にのみインストールを許可するインストール許可手段と、
を備える情報処理システム。
【請求項２】
前記ユーザ登録テーブルに対する登録を管理者から受け付ける登録手段を備える請求項１に記載の情報処理システム。
【請求項３】
前記ユーザ登録テーブルと前記インストール許可手段と前記登録手段と前記印刷ドライバのファイルとのうち、少なくとも一つを備え、前記ネットワークに接続された情報処理サーバを、さらに含む請求項１または２に記載の情報処理システム。
【請求項４】
前記画像形成装置に、前記ユーザ登録テーブルと前記インストール許可手段と前記登録手段と前記印刷ドライバのファイルとのうち、少なくとも一つを備える請求項１〜３のいずれかに記載の情報処理システム。
【請求項５】
前記ユーザ端末に、前記ユーザ登録テーブルと前記インストール許可手段と前記登録手段と前記印刷ドライバのファイルとのうち、少なくとも一つを備える請求項１〜４のいずれかに記載の情報処理システム。
【発明の詳細な説明】
【技術分野】
【０００１】
この発明は、画像形成装置の印刷ドライバのインストール許可をユーザ端末に提供する情報処理システムに関する。
【背景技術】
【０００２】
一般的に画像形成装置とユーザ端末とをネットワーク接続した情報処理システムでは、新しいユーザ端末のセットアップの際には、そのユーザ端末に新たに印刷ドライバをインストールする必要がある。印刷ドライバのインストールは、ドライバＣＤやシリアルナンバーなどが有れば、誰でも可能である。
【０００３】
また、プリンタによって印刷を許可するユーザを制限し、ユーザに対して認証を行ってから印刷を実行する情報処理システムが提供されている（例えば、特許文献１参照。）。この情報処理システムでは、プリンタに印刷を許可するユーザを登録しておき、プリンタにユーザから画像情報を含む印刷情報が送信されてきた際に、そのユーザが登録ユーザであるか否かを確認していた。
【特許文献１】特開平７−１１７２３８号公報
【発明の開示】
【発明が解決しようとする課題】
【０００４】
従来、印刷ドライバのインストール自体は、ドライバＣＤなどが入手できれば、誰でも可能であり、ユーザライセンス数などの管理は管理者にとって煩雑であった。また、印刷可能な登録ユーザを制限する場合には、ユーザ登録と印刷ドライバのインストールとをそれぞれ管理者が行う必要があり、この管理も管理者にとって煩雑であった。
【０００５】
そこで、本発明は、ユーザ登録と印刷ドライバのインストールを一元化して管理し、印刷可能なユーザを制限可能な情報処理システムを提供することにある。
【課題を解決するための手段】
【０００６】
本発明の情報処理システムは、画像形成装置とユーザ端末とをネットワークを介して接続したものである。画像形成装置は、画像データに基づいて画像形成を行う。ユーザ端末は、各画像形成装置専用の印刷ドライバを介して画像形成装置に画像データを出力する。さらに本システムは、ユーザ登録テーブルとインストール許可手段とを備える。ユーザ登録テーブルには、画像形成装置それぞれと各画像形成装置について使用を許可されたユーザ端末との関係を記憶する。インストール許可手段は、印刷ドライバのインストール前に、ユーザ登録テーブルに記憶された関係を参照して、使用を許可されたユーザ端末にのみインストールを許可する。
【０００７】
したがって、各画像形成装置専用の印刷ドライバのインストールを、その画像形成装置の使用を許可されたユーザ端末に限定することができる。
【０００８】
ユーザ登録テーブルに対する登録を管理者から受け付ける登録手段を備えてもよい。
【０００９】
また、ユーザ登録テーブルとインストール許可手段と登録手段と印刷ドライバのファイルは、情報処理サーバと画像形成装置とユーザ端末とのいずれに設けても良い。
【発明の効果】
【００１０】
この発明によれば、ユーザ登録テーブルに使用を許可されたユーザ端末として登録されたもののみが、各画像形成装置専用の印刷ドライバをインストールできる。したがって管理者等のユーザ登録テーブルを管理する者が、容易に、画像形成装置での印刷を許容するユーザ制限をかけることができる。このため、ユーザ制限とドライバインストールとを管理者が一元的に管理できる。
【発明を実施するための最良の形態】
【００１１】
以下、ＬＡＮネットワーク上に２台の画像形成装置と２台のユーザ端末と情報処理サーバとが接続された情報処理システムを例にあげて本発明を説明する。図１にネットワーク構成を示すように、情報処理システム１００は、ＬＡＮネットワーク１０１を介して画像形成装置１Ａ，１Ｂと情報処理サーバ２とユーザ端末３Ａ，３Ｂとをバス型に接続して構成している。なお、このネットワーク構成はあくまで例示であり、他のネットワーク構成も採用可能である。
【００１２】
２台の画像形成装置１Ａ，１Ｂはそれぞれプリンタ機能やコピー機能、ＦＡＸ機能を備える。画像形成装置１Ａ，１Ｂはそれぞれ、プリンタ機能によりユーザ端末３Ａ，３Ｂから送信されてくる印刷要求に対して画像形成処理を実行し、記録紙に画像データに基づいて画像形成を行う。またコピー機能により、セットされる原画像を読み取って記録紙に複写する。またＦＡＸ機能により、電話回線を介して送信されてくるＦＡＸジョブを印刷する。
【００１３】
ユーザ端末３Ａ，３Ｂは、それぞれユーザに対する認証を行い、認証された個々のユーザに画像編集機能や文章編集機能を提供する。ユーザ端末３Ａ，３Ｂはそれぞれ、画像編集機能や文章編集機能によって生成された印刷要求（画像データ）を、各画像形成装置専用の印刷ドライバを介して画像形成装置１Ａ，１Ｂに送信する。なお、各ユーザ端末は、単一のユーザから操作されるものであってもよいが、各ユーザ端末に、複数のユーザそれぞれのデータ保存領域やデスクトップ環境などを用意したマルチユーザ環境を実現し、複数のユーザから操作されるものであっても良い。マルチユーザ環境の場合には、ユーザごとに印刷ドライバをインストール可能であることが望ましい。
【００１４】
情報処理サーバ２は登録機能を備える。情報処理サーバ２は登録機能により、各画像形成装置１Ａ，１Ｂ専用の印刷ドライバそれぞれをインストール可能で、各画像形成装置について使用を許可されたユーザを登録する。
【００１５】
また情報処理サーバ２とユーザ端末３Ａ，３Ｂとは、協調してユーザ認証を行って、ユーザ端末に対しての印刷ドライバのインストール許可を行う。
【００１６】
図２（Ａ）は画像形成装置１Ａのブロック図である。なお、画像形成装置１Ｂは画像形成装置１Ａと同じブロック構成である。画像形成装置１Ａ，１Ｂはそれぞれ、ＣＰＵ１１とハードディスク（ＨＤＤ）１３と揮発性ＲＡＭ１４と通信部１７と暗号復号部１６とプリントエンジン１８と用紙収容部１９と用紙搬送部１５と用紙排紙部１２とを備える。
【００１７】
ＣＰＵ１１は装置全体の制御を担う。通信部１７はユーザ端末や情報処理サーバから送信されてくるデータを受信し、またユーザ端末や情報処理サーバにデータを送信する。暗号復号部１６は、ユーザ端末から送信されてくる暗号化されたデータから印字データを復号する。揮発性ＲＡＭ１４は装置自体を動作させるための複数のプログラムを展開する。用紙収容部１９は多数の記録紙を収容する。用紙排紙部１２には印刷後の記録紙が排紙される。用紙搬送部１５は用紙収容部１９に収容された記録紙をプリントエンジン１８を介して、用紙排紙部１２まで搬送する。プリントエンジン１８は暗号復号部１６で展開された印字データや画像データを記録紙に印刷する。
【００１８】
ＨＤＤ１３はユーザ登録テーブル１３１を備える。このユーザ登録テーブル１３１には、自画像形成装置での印刷を許可されたユーザが登録されている。ユーザ登録テーブル１３１へのユーザ登録は、図示しない画像形成装置の操作部により行ったり、ネットワークを介して情報処理サーバ２やユーザ端末から行ったりすることができる。ここで、ユーザ登録テーブル１３１の例を同図（Ｂ）に示す。ここでは、ユーザ数が４人の例を示している。画像形成装置１Ａには、例えば登録ユーザとしてユーザＡ，Ｂ，Ｃが、それぞれのパスワードと共に登録されている。また、画像形成装置１Ｂには、例えば登録ユーザとしてユーザＡ，Ｂ，Ｄが、それぞれのパスワードと共に登録されている。このように、画像形成装置１にユーザ登録テーブル１３１を記憶させておくことにより、ユーザ登録の際に必ずしも情報処理サーバ２を起動させなくても、各画像形成装置１Ａ，１Ｂでのユーザ登録作業のみでユーザ登録を完了できる。なお、例えば、画像形成装置１Ａと画像形成装置１Ｂとで、登録ユーザを同期させるようにしても良い。そのようにすれば、管理者によるユーザ登録作業を複数の画像形成装置で行う必要が無くなり、管理者の作業負担が低減できる。
【００１９】
図３はユーザ端末３Ａのブロック図である。なお、ユーザ端末３Ｂはユーザ端末３Ａと同じブロック構成である。ユーザ端末３Ａ，３Ｂはそれぞれ、ＣＰＵ３１とＲＡＭ３２とハードディスク（ＨＤＤ）３３と操作部３４と表示部３５と読出部３６と通信部３７とを備える。
【００２０】
操作部３４はキーボードやマウスなどである。表示部３５は液晶表示装置などである。読出部３６は光ディスクや磁気ディスクなどの情報記録担体３６２から情報を読み出す。ＣＰＵ３１は装置全体の制御を担う。通信部３７は情報処理サーバや画像形成装置から送信されてくるデータを受信し、また情報処理サーバや画像形成装置にデータを送信する。ＲＡＭ３２は各種プログラムを展開し、画像形成装置に送信する画像データや印字データを暗号化する。ＨＤＤ３３は複数の動作プログラムを記憶する。動作プログラムとしては、印刷データ編集プログラム（文章編集プログラムや画像編集プログラム）とＷＥＢ開覧プログラムとを含む。
【００２１】
読出部３６は、情報記録担体３６２に記録された情報を読み出す。ここでは、情報記録担体３６２は、各画像形成装置１Ａ，１Ｂそれぞれの印刷ドライバを含むインストールセットが記録されたインストールＣＤであるとする。このように各ユーザ端末に読出部３６を設けることにより、印刷ドライバのインストールＣＤによるインストールが可能になる。そのインストールの際には、ユーザ認証を行うようにし、ユーザが承認されなければ印刷ドライバのインストールを不能にすると望ましい。
【００２２】
図４は情報処理サーバ２のブロック図である。情報処理サーバ２は、ＣＰＵ２１とＲＡＭ２２とハードディスク（ＨＤＤ）２３と操作部２４と表示部２５と通信部２７とを備える。
【００２３】
操作部２４はキーボードやマウスなどである。表示部２５は液晶表示装置などである。ＣＰＵ２１は装置全体の制御を担う。通信部２７はユーザ端末や画像形成装置から送信されてくるデータを受信し、またユーザ端末や画像形成装置にデータを送信する。ＨＤＤ２３には、ＷＥＢサーバプログラムを含む複数の動作プログラムを記憶するとともに、ユーザ登録テーブル２３１とインストールセット２３２とを記憶する。ＲＡＭ２２は各種プログラムを展開する。
【００２４】
ＨＤＤ２３のユーザ登録テーブル２３１には、各画像形成装置での印刷を許可されたユーザが登録されている。このユーザ登録テーブル２３１へのユーザ登録は、情報処理サーバの操作部２４により行うことができる。また、情報処理サーバ２の操作により登録されたユーザ登録テーブル２３１の内容は、画像形成装置１Ａ，１Ｂのユーザ登録テーブル１３１に複写するようにしてもよい。ここで、ユーザ登録テーブル２３１の例を同図（Ｂ）に示す。ここでは、ユーザ数が４人の例を示している。画像形成装置１Ａの登録ユーザとしてユーザＡ，Ｂ，Ｃが、それぞれのパスワードと共に登録されている。また、画像形成装置１Ｂの登録ユーザとしてユーザＡ，Ｂ，Ｄが、それぞれのパスワードと共に登録されている。このユーザ登録テーブル２３１を記憶しておくことで、画像形成装置１Ａ，１Ｂが起動していなくても、ユーザ登録を行うことが可能になる。
【００２５】
なお、ユーザ登録テーブル２３１と画像形成装置１Ａ，１Ｂのユーザ登録テーブル１３１とを同期させ、最新の変更があったユーザ登録テーブルの変更内容を各ユーザ登録テーブルの内容に反映するようにすると好適である。
【００２６】
また、ＨＤＤ２３に記憶したインストールセット２３２は、各画像形成装置１Ａ，１Ｂそれぞれの印刷ドライバを含む。このように情報処理サーバ２にインストールセット２３２を記憶させることにより、ＷＥＢページを用いて印刷ドライバのインストールが可能となる。そのインストールの際には、ユーザ認証を行って、ユーザが承認されればインストールセット２３２をユーザ端末にダウンリンク可能にすると望ましい。
【００２７】
なお、この情報処理サーバ２の機能は、部分的にまたは全面的に、いずれかの画像形成装置に持たせるようにしても良い。
【００２８】
次に、情報処理サーバ２で管理者が行うユーザ登録処理について説明する。
図５は、情報処理サーバ２の表示部２５に表示されるプログラムウィンドウＷ１である。このプログラムウィンドウＷ１は、ユーザ登録処理時に表示される。
【００２９】
プログラムウィンドウＷ１のウィンドウ左下部には、ユーザ登録画面表示ボタンＢ１１と登録一覧画面表示ボタンＢ１２とが表示される。
【００３０】
ユーザ登録画面表示ボタンＢ１１が選択された場合には、同図（Ａ）に示すようにウィンドウ右下部にユーザ名入力フォームＦ１１とパスワード入力フォームＦ１２と登録処理ボタンＢ１３とが表示される。ユーザ名入力フォームＦ１１はユーザ名を入力する領域である。また、パスワード入力フォームＦ１２は、そのユーザのパスワードを入力する領域である。登録処理ボタンＢ１３は、ユーザ名入力フォームＦ１１およびパスワード入力フォームＦ１２への入力後に、その内容をユーザ登録テーブル２３１に登録するためのボタンである。
【００３１】
また、登録一覧画面表示ボタンＢ１２が選択された場合には、同図（Ｂ）に示すようにウィンドウ右下部にユーザ名選択トグルＴ１１と削除処理ボタンＢ１４とが表示される。ユーザ名選択トグルＴ１１はユーザ名を選択するためのものであり、削除処理ボタンＢ１４は、ユーザ名選択トグルＴ１１で選択されているユーザを、ユーザ登録テーブル２３１から削除するためのボタンである。
【００３２】
このようなプログラムウィンドウＷ１を用いることで、管理者がユーザ登録を行う際に、既登録ユーザを容易に把握して、ユーザ登録テーブル２３１の登録内容を変更できる。なお、ユーザ登録テーブル２３１に登録するユーザの上限人数が設定されていてもよい。また、ユーザ登録は情報セキュリティの観点から、管理者のみ登録作業可能であることが望ましい。また、管理者であることの認証を行うならば、ＷＥＢページを介してユーザ端末でユーザ登録作業をできるようにしてもよい。
【００３３】
次に、ユーザ端末３Ａ，３Ｂで、ユーザが行う印刷ドライバインストール処理について説明する。
図６は、ユーザ端末３の表示部３５に表示されるプログラムウィンドウＷ２である。このプログラムウィンドウＷ２は、ＷＥＢブラウザのウィンドウであり、印刷ドライバのインストール処理時に表示される。
【００３４】
プログラムウィンドウＷ２には、同図（Ａ）に示すようにユーザ名入力フォームＦ２１とパスワード入力フォームＦ２２と処理実行ボタンＢ２３と処理キャンセルボタンＢ２４とが表示される。ユーザ名入力フォームＦ２１はユーザ名を入力する領域である。また、パスワード入力フォームＦ２２は、ユーザのパスワードを入力する領域である。処理実行ボタンＢ２３は、ユーザ名入力フォームＦ２１およびパスワード入力フォームＦ２２への入力後に、その内容を情報処理サーバに送信するためのボタンである。処理キャンセルボタンＢ２４はユーザ情報の送信を行わずに、このプログラムウィンドウＷ２を消すためのボタンである。
【００３５】
処理実行ボタンＢ２３が選択された場合、ユーザ名入力フォームＦ２１およびパスワード入力フォームＦ２２に入力された情報（ユーザ情報）が情報処理サーバ２に送信される。そして、プログラムウィンドウＷ２が消え、プログラムウィンドウＷ３が表示される。このプログラムウィンドウＷ３には、データ表示領域Ｌ３１，Ｔ３２と再検索処理ボタンＢ３１と戻る処理ボタンＢ３２と処理実行ボタンＢ３３と処理キャンセルボタンＢ３４とが表示される。
【００３６】
再検索処理ボタンＢ３１は、ユーザ登録テーブル２３１を再検索する処理の実行ボタンである。戻る処理ボタンＢ３２は、このプログラムウィンドウＷ３を消して、再びプログラムウィンドウＷ２を表示する処理の実行ボタンである。処理キャンセルボタンＢ３４はプログラムウィンドウＷ３を消すボタンである。
【００３７】
データ表示領域Ｌ３１，Ｔ３２は、各画像形成装置１Ａ，１ＢのＩＰアドレスと、前述のプログラムウィンドウＷ２で入力されたユーザ名およびパスワードが、ユーザ登録テーブル２３１に登録されていたか否かを表示する領域である。ユーザ端末３は、情報処理サーバ２からの応答により、これらのＩＰアドレスおよびユーザ登録有無の情報である登録状態情報を受信し、登録状態情報に基づいてデータ表示領域Ｌ３１，Ｔ３２を表示する。これらのデータ表示領域Ｌ３１，Ｔ３２はそれぞれ択一的に選択可能になっていて、選択されたデータ表示領域は白黒反転表示される。
【００３８】
データ表示領域Ｌ３１，Ｔ３２のうち白黒反転表示されているもののユーザ登録が「あり」の状態であれば、ユーザ端末３は処理実行ボタンＢ３３を選択可能にする。処理実行ボタンＢ３３が選択されることで、白黒反転表示されたデータ表示領域に対応する画像形成装置の印刷ドライバの要求情報が情報処理サーバ２に送信される。これにより、情報処理サーバ２からユーザ端末３にインストールセット２３２がダウンロードされる。ユーザ端末３にダウンロードされたインストールセットにより、ユーザ端末３に印刷ドライバがインストールされることになる。
【００３９】
このようなプログラムウィンドウＷ２，Ｗ３を用いることで、ユーザは複数の画像形成装置１Ａ，１Ｂそれぞれの専用ドライバをインストールする際に、インストール処理を画像形成装置１Ａ，１Ｂごとに行う必要が無く、情報処理サーバ２のＷＥＢページにて接続するのみで複数の画像形成装置それぞれのインストールセット２３２（印刷ドライバおよびインストーラを含む）をインストールできる。また、情報処理サーバ２にインストールセット２３２を記憶しておくことにより、ドライバＣＤがユーザの手元に無くても、インストールセット２３２をダウンロードしインストールすることができる。
【００４０】
図７は、インストール処理時における情報処理サーバ２の処理手順を示すフローチャートである。
【００４１】
まず、ユーザがユーザ端末３（３Ａ，３Ｂ）でＷＥＢブラウザを起動して、情報処理サーバ２に接続することにより、情報処理サーバ２は所定のＷＥＢページをユーザ端末３に送信する（Ｓ５０１）。これにより、ユーザ端末３の表示部３５には、上述のプログラムウィンドウＷ２が表示される。
【００４２】
次に、ユーザがプログラムウィンドウＷ２にユーザ名とユーザパスワードを入力し送信することで、そのユーザ名とパスワードとからなるユーザ情報が情報処理サーバ２で受信される（Ｓ５０２）。これにより、ユーザ端末３の表示部３５では、プログラムウィンドウＷ２が消え、プログラムウィンドウＷ３が表示される。
【００４３】
情報処理サーバ２では、受信したユーザ名とパスワードを、ユーザ登録テーブル２３１から検索する（Ｓ５０３）。ユーザ名とパスワードとがそれぞれ登録されていれば、各画像形成装置の印刷ドライバがインストール許可されているか否かの情報である登録状態情報をユーザ端末に送信する（Ｓ５０４）。これにより、ユーザ端末３のプログラムウィンドウＷ３には、データ表示領域Ｌ３１，Ｔ３２に画像形成装置名と、そのＩＰアドレスと、インストールの可否とが表示される。
【００４４】
その後、情報処理サーバ２は、ユーザ端末３からの応答を待ち、画像形成装置が選択されて処理実行ボタンが選ばれれば、その画像形成装置の選択情報を受信し（Ｓ５０５）、選択された画像形成装置の印刷ドライバのインストールセットをユーザ端末３に送信する（Ｓ５０８）。また再検索処理ボタンが選ばれ、その情報が受信されれば（Ｓ５０６）、再びユーザ情報を検索する処理（Ｓ５０３）に戻る。また戻る処理ボタンが選ばれ、その情報が受信されれば（Ｓ５０７）、再びユーザ情報の受信を待機（Ｓ５０２）する。
【００４５】
なお、以上に示した各プログラムウィンドウの態様と、処理フローは一例であることは言うまでもない。
【００４６】
また、ユーザ登録テーブルは画像形成装置のみに設けてもよいし、情報処理サーバのみに設けても良い。ユーザ登録テーブルを画像形成装置のみに設ける場合、情報処理サーバから遠隔にてユーザ登録作業ができるようにすると好適である。また、ユーザ登録テーブルに対するユーザ登録作業は、画像形成装置の操作パネルで行うようにしてもよい。
【００４７】
また、インストールセットは、画像形成装置に備えてもよく、情報処理サーバに備えてもよく、ユーザ端末に情報記録担体から読み出すようにしてもよい。
【００４８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【図面の簡単な説明】
【００４９】
【図１】実施形態の情報処理システムのネットワーク構成を示す図である。
【図２】同図（Ａ）は同情報処理システムの画像形成装置のブロック図であり、同図（Ｂ）は同画像形成装置のユーザ登録テーブルの一例である。
【図３】同情報処理システムのユーザ端末のブロック図である。
【図４】同図（Ａ）は同情報処理システムの情報処理サーバのブロック図であり、同図（Ｂ）は同情報処理サーバのユーザ登録テーブルの一例である。
【図５】同情報処理サーバにユーザ登録処理で表示するプログラムウィンドウを説明する図である。
【図６】同ユーザ端末にインストール処理で表示するプログラムウィンドウを説明する図である。
【図７】同情報処理サーバでのインストール処理でのフローチャートを説明する図である。
【符号の説明】
【００５０】
１Ａ，１Ｂ…画像形成装置
２…情報処理サーバ
３Ａ，３Ｂ…ユーザ端末
１００…情報処理システム
１３１，２３１…ユーザ登録テーブル
２３２…インストールセット
３６２…情報記録担体
Ｂ…ボタン
Ｆ…入力フォーム
Ｔ…ユーザ名選択トグル
Ｌ…データ表示領域
Ｗ…プログラムウィンドウ
【図１】
2008257406.tif 000003
【図２】
2008257406.tif 000004
【図３】
2008257406.tif 000005
【図４】
2008257406.tif 000006
【図５】
2008257406.tif 000007
【図６】
2008257406.tif 000008
【図７】
2008257406.tif 000009